(57)【要約】      （修正有）【課題】鋼管杭等の管杭を吊り起こす際に管杭の下端の破損を防止することができる管杭の吊り起こし補助装置及び管杭の吊り起こし方法を提供する。【解決手段】管杭１の吊り起こし装置は、管杭１の他端に取付けられる吊り起こし補助具２を備え、吊り起こし補助具２は、平面上を移動可能な補助具本体６と、補助具本体６に回動可能に支持され、管杭１の端部縁と着脱可能に連結される連結部７とを備え、管杭１と平面との間に移動可能に介在されるようにしたので、吊り起こし作業に伴う管杭端部と平面との摺動を回避し、管杭開先部を保護することができる。【選択図】図１
2019085845.tif 000002
【特許請求の範囲】
【請求項１】
平面上に横たえた状態の前記管杭の一端側を吊り上げ、該管杭を吊り起こすようにした管杭の吊り起こし装置において、
前記管杭の他端に取付けられる吊り起こし補助具と、前記平面上に設置され、前記吊り起こし補助具を案内する軌道とを備え、
前記吊り起こし補助具は、前記軌道に案内されて平面上を移動する補助具本体と、該補助具本体に回動可能に支持され、前記管杭の端部縁と着脱可能に連結される連結部とを備え、前記管杭と前記平面との間に移動可能に介在されるようにしたことを特徴とする管杭の吊り起こし装置。
【請求項２】
前記軌道の両側部に設置された一対の枕木支持部材と、前記軌道を横切るように前記枕木支持部材間に架設された可動枕木とを備え、該可動枕木が前記枕木支持部材側に移動できるようにした請求項１に記載の管杭の吊り起こし装置。
【請求項３】
前記連結部は、前記管杭の内側に挿入される内側保持体と、該内側保持体と間隔を置いて対向し、前記管杭の外側に配置される外側保持体と、前記内側保持体と前記外側保持体との間に前記管杭の端部縁を保持する杭保持手段とを備えている請求項１又は２に記載の管杭の吊り起こし装置。
【請求項４】
前記杭保持手段は、前記内側保持体及び／又は前記外側保持体の対向面部に固定された弾性部材を備え、該弾性部材を介して前記内側保持体と前記外側保持体との間に前記管杭の端部縁を挟持するようにした請求項３に記載の管杭の吊り起こし装置。
【請求項５】
前記連結部は、前記管杭と付着する電磁石を備えている請求項１〜４の何れか一に記載の管杭の吊り起こし装置。
【請求項６】
平面上に横たえた状態の管杭の一端側を吊り上げ、前記管杭を立ち上げる管杭の吊り起こし方法において、
前記平面上を移動可能な補助具本体と、該補助具本体に回動可能に支持され、前記管杭の端部縁と着脱可能に連結される連結部とを備えている吊り起こし補助具を前記平面上に横たえた状態の管杭の前記管杭の端部縁に連結し、
前記吊り起こし補助具を平面上に設置した軌道に案内させ、前記管杭の一方の端部と前記平面との間に介在させつつ前記管杭の一端側を吊り上げて所定の角度まで前記管杭を立ち上げ、
しかる後、前記吊り起こし補助具を取り外すことを特徴とする管杭の吊り起こし方法。
【請求項７】
前記軌道の両側部に設置された一対の枕木支持部材と、前記軌道を横切るように前記枕木支持部材間に架設される可動枕木とを設置し、該可動枕木を介して前記管杭を平面上に横たえておき、
前記吊り起こし補助具を取り付けた後、前記可動枕木を前記枕木支持部材側に移動させ、
しかる後、前記平面上に横たえた状態の管杭の一端側を吊り上げる請求項６に記載の管杭の吊り起こし方法。
【発明の詳細な説明】
【技術分野】
【０００１】
本発明は、鋼管杭等の管杭の施工にあたり、横たえられている管杭を立ち上げる際に使用する管杭の吊り起こし装置及び管杭の吊り起こし方法に関する。
【背景技術】
【０００２】
従来、鋼管杭等の管杭は、地上や運搬船の甲板等の平面上に角材等からなる枕木を杭軸方向に間隔を置いて設置し、当該複数の枕木を介して管杭を平面上に横たえた状態とするとともに、横たえた管杭の底部に転がり防止用のキャンバ（楔部材）を嵌め込み、移動を防止した状態で仮置きされ、施工する際には、管杭の一端側にワイヤを取り付け、当該一端側をクレーンによって吊り上げ、管杭を立ち上げるようになっている（例えば、特許文献１を参照）。
【先行技術文献】
【特許文献】
【０００３】
【特許文献１】特開２００６−２７４６７３号公報
【発明の概要】
【発明が解決しようとする課題】
【０００４】
しかしながら、上述の如き従来の技術では、管杭の一端側を吊り上げるに従って、当該一端側から管杭を支持する枕木及びキャンバより離脱するため、管杭が揺動及び回転し易くなり、支持している状態の枕木からも離脱してしまうおそれがある。
【０００５】
また、吊り上げられた管杭は、所定の角度まで立ち上がると、全ての枕木から離脱するとともに、下端（開先部）が地上や運搬船の甲板等の平面と接触し、接触したままの状態でさらに立ち上げられるため、開先部が平面と摺動して破損するおそれがあった。
【０００６】
特に、この種の鋼管杭は、必要に応じて、既設の鋼管杭の上端に新たな鋼管杭の開先部を突き合わせ、溶接によって両鋼管を連結することから、開先部が破損するとこの連結作業に支障を生じるおそれがあった。
【０００７】
また、従来の技術では、複数の管杭を横たえて仮置きする際、杭の転がりを防止するキャンバを杭と杭の間に入って設置しなければならず危険を伴うという問題があった。
【０００８】
そこで、本発明は、このような従来の問題に鑑み、鋼管杭等の管杭を吊り起こす際に管杭の下端の破損を防止することができる管杭の吊り起こし補助装置及び管杭の吊り起こし方法の提供を目的としてなされたものである。
【課題を解決するための手段】
【０００９】
上述の如き従来の問題を解決するための請求項1に記載の発明の特徴は、平面上に横たえた状態の前記管杭の一端側を吊り上げ、該管杭を吊り起こすようにした管杭の吊り起こし装置において、前記管杭の他端に取付けられる吊り起こし補助具と、前記平面上に設置され、前記吊り起こし補助具を案内する軌道とを備え、前記吊り起こし補助具は、前記軌道に案内されて平面上を移動する補助具本体と、該補助具本体に回動可能に支持され、前記管杭の端部縁と着脱可能に連結される連結部とを備え、前記管杭と前記平面との間に移動可能に介在されるようにしたことにある。
【００１０】
請求項２に記載の発明の特徴は、請求項１の構成に加え、前記軌道の両側部に設置された一対の枕木支持部材と、前記軌道を横切るように前記枕木支持部材間に架設された可動枕木とを備え、該可動枕木が前記枕木支持部材側に移動できるようにしたことにある。
【００１１】
請求項３に記載の発明の特徴は、請求項１又は２の構成に加え、前記連結部は、前記管杭の内側に挿入される内側保持体と、該内側保持体と間隔を置いて対向し、前記管杭の外側に配置される外側保持体と、前記内側保持体と前記外側保持体との間に前記管杭の端部縁を保持する杭保持手段とを備えていることにある。
【００１２】
請求項４に記載の発明の特徴は、請求項３の構成に加え、前記杭保持手段は、前記内側保持体及び／又は前記外側保持体の対向面部に固定された弾性部材を備え、該弾性部材を介して前記内側保持体と前記外側保持体との間に前記管杭の端部縁を挟持するようにしたことにある。
【００１３】
請求項５に記載の発明の特徴は、請求項１〜４の何れか一の構成に加え、前記連結部は、前記管杭と付着する電磁石を備えていることにある。
【００１４】
請求項６に記載の発明の特徴は、平面上に横たえた状態の管杭の一端側を吊り上げ、前記管杭を立ち上げる管杭の吊り起こし方法において、前記平面上を移動可能な補助具本体と、該補助具本体に回動可能に支持され、前記管杭の端部縁と着脱可能に連結される連結部とを備えている吊り起こし補助具を前記平面上に横たえた状態の管杭の前記管杭の端部縁に連結し、前記吊り起こし補助具を平面上に設置した軌道に案内させ、前記管杭の一方の端部と前記平面との間に介在させつつ前記管杭の一端側を吊り上げて所定の角度まで前記管杭を立ち上げ、しかる後、前記吊り起こし補助具を取り外すことにある。
【００１５】
請求項７に記載の発明の特徴は、請求項６の構成に加え、前記軌道の両側部に設置された一対の枕木支持部材と、前記軌道を横切るように前記枕木支持部材間に架設される可動枕木とを設置し、該可動枕木を介して前記管杭を平面上に横たえておき、前記吊り起こし補助具を取り付けた後、前記可動枕木を前記枕木支持部材側に移動させ、しかる後、前記平面上に横たえた状態の管杭の一端側を吊り上げることにある。
【発明の効果】
【００１６】
本発明に係る管杭の吊り起こし装置は、請求項１に記載の構成を具備することによって、鋼管杭等の管杭を吊り起こす際に、管杭の下端側が平面上を摺動せず、管杭の下端部（開先部）の破損を防止することができる。また、吊り起こす際の管杭の回転及び揺動を防止することができ、杭毎に転がり防止のキャンバを設置する必要がなくなる。また、杭間に作業員が入ってキャンバを設置せずともよく、安全に作業を行うことができる。
【００１７】
さらに、本発明において、請求項２に記載の構成を具備することによって、枕木が吊り起こし補助具の移動を阻害することがなく、好適に案内することができる。
【００１８】
更にまた、本発明において、請求項３乃至５に記載の構成を具備することによって、自動的に吊り起こし補助具を取り外すことができ、安全に作業を行うことができる。
【００１９】
本発明に係る杭の吊り起こし方法は、請求項６に記載の構成を具備することによって、鋼管杭等の管杭を吊り起こす際に、管杭の下端側が平面上を摺動せず、管杭の下端部（開先部）の破損を防止することができる。また、吊り起こす際の管杭の回転及び揺動を防止することができ、杭毎に転がり防止のキャンバを設置する必要がなくなる。さらに、杭間に作業員が入ってキャンバを設置せずともよく、安全に作業を行うことができる。
【００２０】
また、本発明において、請求項８に記載の構成を具備することによって、枕木が吊り起こし補助具の移動を阻害することがない。
【図面の簡単な説明】
【００２１】
【図１】本願発明に係る管杭の吊り起こし装置の一例を示す側面図である。
【図２】（a）図１中の吊り起こし補助具の一例を示す正面図、（ｂ）は同平面図、（ｃ）は同側面図である。
【図３】本発明に係る管杭の吊り起こし方法における管杭の仮置き状態を示す側面図である。
【図４】図３中の可動枕木を示す図であって、（ａ）は管杭仮置き時の状態を示す正面図、（ｂ）は同吊り起こし作業時の状態を示す正面図である。
【図５】同上の吊り起こし補助具を設置した状態を示す拡大断面図である。
【図６】同上の図１中のＡ-Ａ線矢視拡大断面図である。
【図７】同上の吊り起こし時の状態を示す側面図である。
【図８】同上の吊り起こし完了時の状態を示す側面図である。
【発明を実施するための形態】
【００２２】
次に、本発明に係る管杭の吊り起こし装置及び吊り起こし方法の実施態様を図１〜図８に示した実施例に基づいて説明する。尚、図中符号１は鋼管杭等の管杭である。
【００２３】
管杭１の吊り起こし装置（以下、吊り起こし装置という）は、管杭１の端部に取付けられる吊り起こし補助具２を備え、地面や作業船の甲板等の平面３上に横たえた状態の管杭１の一端側をクレーン等によって吊り上げる際、管杭１と平面３との間に吊り起こし補助具２が移動可能に介在され、管杭１の下端が保護されるようになっている。尚、図中符号４は、クレーンより繰り出されたクレーンワイヤ、符号５は、クレーンワイヤ４の下端に管杭１の一端側を連結する連結具である。
【００２４】
吊り起こし補助具２は、平面３上を移動可能な補助具本体６と、補助具本体６に回動可能に支持され、管杭１の端部縁と着脱可能に連結される連結部７とを備え、連結部７を管杭１の端部縁に取り付けることによって、管杭１の吊り起こしに追従して平面３上を移動するようになっている。
【００２５】
補助具本体６は、平板状に形成され、その下面部に車輪８，８が回転自在に備えられ、平面３上を移動できるようになっている。
【００２６】
また、補助具本体６には、上面両側部に一対の軸受け９，９を対向配置に備え、両軸受け９，９間に回動軸１０が支持されている。
【００２７】
連結部７は、管杭１の内側に挿入される内側保持体１１，１１…と、管杭１の外側に配置される外側保持体１２と、内側保持体１１，１１…と外側保持体１２とを間隔を置いて保持する底受け部１３とを備え、管杭１の端部縁が内側保持体１１，１１…と外側保持体１２との間に挿し込まれ、底受け部１３で受け止められるようになっている。
【００２８】
外側保持体１２は、互いに対向する一対の側板１２ａ，１２ａと、両側板１２ａ，１２ａの端部を連結する上板１２ｂとを備えた門型に形成され、両側板１２ａ，１２ａの端部が軸受け９，９間に挿入され、回動軸１０を介して回動可能に支持されている。
【００２９】
底受け部１３は、円弧板状に形成され、円弧外側が外側保持体１２の基端部（軸側端部）に固定されている。
【００３０】
内側保持体１１，１１…は、それぞれ平板状に形成され、その基端が底受け部１３の円弧内側縁に周方向に間隔を置いて固定されている。
【００３１】
また、連結部７には、内側保持体１１，１１…と外側保持体１２との間に管杭１の端部縁を保持する杭保持手段を備え、管杭１と連結部７とを着脱可能に固定できるようになっている。
【００３２】
杭保持手段は、本実施例の場合、図２に示すように、外側保持体１２及び内側保持体１１，１１…の対向面部に固定されたゴム板等の弾性部材１４，１４を備え、弾性部材１４，１４を介して内側保持体１１，１１…と外側保持体１２との間に管杭１の端部縁を挟持するようにしている。
【００３３】
よって、この杭保持手段は、管杭１を吊り起こす間は弾性部材１４，１４の弾性力によって管杭１の端縁部を内側保持体１１，１１…と外側保持体１２との間に固定され、管杭１が所定の角度まで立ち上がった際に、吊り起こし補助具２が自重によって管杭１の端部縁より自動的に離脱するようになっている。
【００３４】
また、この吊り起こし装置は、平面３上に設置された軌道１５と、軌道１５上に間隔を置いて設置された複数の枕木１６，１６とを備え、管杭１は、枕木１６，１６に支持された状態で軌道１５に沿って横たえられている。
【００３５】
軌道１５は、一対のＬ字状のアングル材１５ａ，１５ａによって構成され、平行に配置された両アングル材１５ａ，１５ａに案内されて補助具本体６が移動するようになっている。
【００３６】
枕木１６，１６は、軌道１５の両側部に設置された一対の枕木支持部材１７，１７と、軌道１５を横切るように枕木支持部材１７，１７間に移動可能に架設された可動枕木１８とを備え、管杭１の仮置き時には、図４（ａ）に示すように、可動枕木１８が両枕木支持部材１７，１７に架設されて枕木１６，１６として機能し、吊り起こし作業時においては、図４（ｂ）に示すように、可動枕木１８が一方の枕木支持部材１７側に移動し、吊り起こし補助具２の移動を阻害しないようになっている。
【００３７】
枕木支持部材１７，１７は、例えば、Ｈ型鋼によって形成され、上面溝１７ａに案内されて可動枕木１８が移動できるようになっている。
【００３８】
枕木１６，１６は、可動枕木１８が両枕木支持部材１７，１７に架設された状態で高さが吊り起こし補助具２の高さに合わせて調整されている。
【００３９】
次に、この吊り起こし装置を使用した管杭１の吊り起こし方法について説明する。
【００４０】
先ず、図３及び図４（ａ）に示すように、平面３上に軌道１５と、軌道１５の両側部に設置された一対の枕木支持部材１７，１７と、軌道１５を横切るように枕木支持部材１７，１７間に架設される可動枕木１８とを設置しておき、管杭１を枕木１６，１６管に架け渡した状態で軌道１５に沿って平面３上に横たえておく。
【００４１】
次に、管杭１を施工する場合には、図１、図５及び図６に示すように、横たえた管杭１の一端側より吊り起こし補助具２を移動させ、連結部７を管杭１の端部縁に取り付ける。
【００４２】
具体的には、連結部７を外側保持体１２側に回動させておき、その状態で補助具本体６を移動させると、管杭１の端部内側に内側保持体１１，１１…が挿入され、弾性部材１４，１４を介して管杭１の端部縁が外側保持体１２と内側保持体１１，１１…との間に挟持される。
【００４３】
また、管杭１の一端側に連結具５を介してクレーンワイヤ４の下端を連結するとともに、ウインチ１９より繰り出された介錯用ロープ２０を他端側に括り付ける。
【００４４】
次に、図７に示すように、介錯用ロープ２０を繰り出しつつ、クレーンワイヤ４を引き上げて管杭１の一端側を吊り上げ、吊り起こし作業を開始する。
【００４５】
そして、管杭１の一端側を吊り上げるとそれに伴い、管杭１の他端側が徐々に水平方向に向けてクレーンワイヤ４側に引き寄せられて移動する。
【００４６】
その際、管杭１の端部縁には、吊り起こし補助具２が取り付けられているので、管杭１の他端側の移動に追従して吊り起こし補助具２が移動するので、常に管杭１と平面との間に吊り起こし補助具２が介在され、管杭１の端縁が平面３上を摺動することがなく、摩擦等による管杭１の開先部の破損が防止される。
【００４７】
また、吊り起こし補助具２は、軌道１５に案内された状態で移動するので、この吊り起こし補助具２に端縁部が支持された管杭１は、吊り起こしに伴う揺動及び回転が防止され、安定した状態で吊り起こされていく。
【００４８】
尚、吊り起こしに伴い、枕木１６，１６から離脱した際には、可動枕木１８を図４（ｂ）に示すように、一方の枕木支持部材１７側に移動させることによって、軌道１５に案内されて移動する吊り起こし補助具２の移動が阻害されないようになっている。
【００４９】
そして、図８に示すように、吊り起こしにより管杭１が垂直となる位置まで立ち上げ、更に吊り上げると、吊り起こし補助具２が自重によって平面３上に留まり、管杭１の端部縁より自動的に離脱し、吊り起こし作業が完了する。
【００５０】
尚、上述の実施例では、杭保持手段として、外側保持体１２及び内側保持体１１，１１…の対向面部に固定されたゴム板等の弾性部材１４，１４を使用する例について説明したが、弾性部材１４，１４は、外側保持体１２又は内側保持体１１，１１…の何れか一方に備えるようにしてもよい。
【００５１】
また、杭保持手段の態様は、上記実施例に限定されず、例えば、管杭１の内側に挿入され、管杭１の内側に沿って重ねられた内側保持体１１，１１…と管杭１の端縁部とをクランプで締結してもよく、連結部７に電磁石を備え、電磁石を管杭１に付着させてもよい。
【符号の説明】
【００５２】
１  管杭（鋼管杭）
２  吊り起こし補助具
３  平面
４  クレーンワイヤ
５  連結具
６  補助具本体
７  連結部
８  車輪
９  軸受け
１０  回動軸
１１  内側保持体
１２  外側保持体
１３  底受け部
１４  弾性部材
１５  軌道
１６  枕木
１７  枕木支持部材
１８  可動枕木
１９  ウインチ
２０  介錯用ロープ
【図１】
2019085845.tif 000003
【図２】
2019085845.tif 000004
【図３】
2019085845.tif 000005
【図４】
2019085845.tif 000006
【図５】
2019085845.tif 000007
【図６】
2019085845.tif 000008
【図７】
2019085845.tif 000009
【図８】
2019085845.tif 000010
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
平面上に横たえた状態の管杭の一端側を吊り上げ、該管杭を吊り起こすようにした管杭の吊り起こし装置において、
前記管杭の他端に取付けられる吊り起こし補助具と、前記平面上に設置され、前記吊り起こし補助具を案内する軌道と、該軌道の両側部に設置された一対の枕木支持部材と、前記軌道上を横切るように前記枕木支持部材間に架設され、前記枕木支持部材側に移動可能な可動枕木とを備え、
前記吊り起こし補助具は、前記軌道に案内されて平面上を移動する補助具本体と、該補助具本体に回動可能に支持され、前記管杭の端部縁と着脱可能に連結される連結部とを備え、前記管杭と前記平面との間に移動可能に介在されるようにしたことを特徴とする管杭の吊り起こし装置。
【請求項２】
前記連結部は、前記管杭の内側に挿入される内側保持体と、該内側保持体と間隔を置いて対向し、前記管杭の外側に配置される外側保持体と、前記内側保持体と前記外側保持体との間に前記管杭の端部縁を保持する杭保持手段とを備えている請求項１に記載の管杭の吊り起こし装置。
【請求項３】
前記杭保持手段は、前記内側保持体及び／又は前記外側保持体の対向面部に固定された弾性部材を備え、該弾性部材を介して前記内側保持体と前記外側保持体との間に前記管杭の端部縁を挟持するようにした請求項２に記載の管杭の吊り起こし装置。
【請求項４】
前記連結部は、前記管杭と付着する電磁石を備えている請求項１〜３の何れか一に記載の管杭の吊り起こし装置。
【請求項５】
平面上に横たえた状態の管杭の一端側を吊り上げ、前記管杭を立ち上げる管杭の吊り起こし方法において、
平面上に設置した軌道の両側部に設置された一対の枕木支持部材と、前記軌道上を横切るように前記枕木支持部材間に架設される可動枕木とを設置し、該可動枕木を介して前記管杭を平面上に横たえておき、
前記平面上を移動可能な補助具本体と、該補助具本体に回動可能に支持され、前記管杭の端部縁と着脱可能に連結される連結部とを備えている吊り起こし補助具を前記平面上に横たえた状態の管杭の前記管杭の端部縁に連結した後、
前記可動枕木を前記枕木支持部材側に移動させ、
前記吊り起こし補助具を前記軌道に案内させ、前記管杭の一方の端部と前記平面との間に介在させつつ前記管杭の一端側を吊り上げて所定の角度まで前記管杭を立ち上げ、
しかる後、前記吊り起こし補助具を取り外すことを特徴とする管杭の吊り起こし方法。
【手続補正２】
【補正対象書類名】明細書
【補正対象項目名】全文
【補正方法】変更
【補正の内容】
【発明の詳細な説明】
【技術分野】
【０００１】
本発明は、鋼管杭等の管杭の施工にあたり、横たえられている管杭を立ち上げる際に使用する管杭の吊り起こし装置及び管杭の吊り起こし方法に関する。
【背景技術】
【０００２】
従来、鋼管杭等の管杭は、地上や運搬船の甲板等の平面上に角材等からなる枕木を杭軸方向に間隔を置いて設置し、当該複数の枕木を介して管杭を平面上に横たえた状態とするとともに、横たえた管杭の底部に転がり防止用のキャンバ（楔部材）を嵌め込み、移動を防止した状態で仮置きされ、施工する際には、管杭の一端側にワイヤを取り付け、当該一端側をクレーンによって吊り上げ、管杭を立ち上げるようになっている（例えば、特許文献１を参照）。
【先行技術文献】
【特許文献】
【０００３】
【特許文献１】特開２００６−２７４６７３号公報
【発明の概要】
【発明が解決しようとする課題】
【０００４】
しかしながら、上述の如き従来の技術では、管杭の一端側を吊り上げるに従って、当該一端側から管杭を支持する枕木及びキャンバより離脱するため、管杭が揺動及び回転し易くなり、支持している状態の枕木からも離脱してしまうおそれがある。
【０００５】
また、吊り上げられた管杭は、所定の角度まで立ち上がると、全ての枕木から離脱するとともに、下端（開先部）が地上や運搬船の甲板等の平面と接触し、接触したままの状態でさらに立ち上げられるため、開先部が平面と摺動して破損するおそれがあった。
【０００６】
特に、この種の鋼管杭は、必要に応じて、既設の鋼管杭の上端に新たな鋼管杭の開先部を突き合わせ、溶接によって両鋼管を連結することから、開先部が破損するとこの連結作業に支障を生じるおそれがあった。
【０００７】
また、従来の技術では、複数の管杭を横たえて仮置きする際、杭の転がりを防止するキャンバを杭と杭の間に入って設置しなければならず危険を伴うという問題があった。
【０００８】
そこで、本発明は、このような従来の問題に鑑み、鋼管杭等の管杭を吊り起こす際に管杭の下端の破損を防止することができる管杭の吊り起こし補助装置及び管杭の吊り起こし方法の提供を目的としてなされたものである。
【課題を解決するための手段】
【０００９】
上述の如き従来の問題を解決するための請求項1に記載の発明の特徴は、平面上に横たえた状態の管杭の一端側を吊り上げ、該管杭を吊り起こすようにした管杭の吊り起こし装置において、前記管杭の他端に取付けられる吊り起こし補助具と、前記平面上に設置され、前記吊り起こし補助具を案内する軌道と、該軌道の両側部に設置された一対の枕木支持部材と、前記軌道上を横切るように前記枕木支持部材間に架設され、前記枕木支持部材側に移動可能な可動枕木とを備え、前記吊り起こし補助具は、前記軌道に案内されて平面上を移動する補助具本体と、該補助具本体に回動可能に支持され、前記管杭の端部縁と着脱可能に連結される連結部とを備え、前記管杭と前記平面との間に移動可能に介在されるようにしたことにある。
【００１０】
請求項２に記載の発明の特徴は、請求項１の構成に加え、前記連結部は、前記管杭の内側に挿入される内側保持体と、該内側保持体と間隔を置いて対向し、前記管杭の外側に配置される外側保持体と、前記内側保持体と前記外側保持体との間に前記管杭の端部縁を保持する杭保持手段とを備えていることにある。
【００１１】
請求項３に記載の発明の特徴は、請求項２の構成に加え、前記杭保持手段は、前記内側保持体及び／又は前記外側保持体の対向面部に固定された弾性部材を備え、該弾性部材を介して前記内側保持体と前記外側保持体との間に前記管杭の端部縁を挟持するようにした
ことにある。
【００１２】
請求項４に記載の発明の特徴は、請求項１〜３の何れか一の構成に加え、前記連結部は、前記管杭と付着する電磁石を備えていることにある。
【００１３】
請求項５に記載の発明の特徴は、平面上に横たえた状態の管杭の一端側を吊り上げ、前記管杭を立ち上げる管杭の吊り起こし方法において、平面上に設置した軌道の両側部に設置された一対の枕木支持部材と、前記軌道上を横切るように前記枕木支持部材間に架設される可動枕木とを設置し、該可動枕木を介して前記管杭を平面上に横たえておき、前記平面上を移動可能な補助具本体と、該補助具本体に回動可能に支持され、前記管杭の端部縁と着脱可能に連結される連結部とを備えている吊り起こし補助具を前記平面上に横たえた状態の管杭の前記管杭の端部縁に連結した後、前記可動枕木を前記枕木支持部材側に移動させ、前記吊り起こし補助具を前記軌道に案内させ、前記管杭の一方の端部と前記平面との間に介在させつつ前記管杭の一端側を吊り上げて所定の角度まで前記管杭を立ち上げ、しかる後、前記吊り起こし補助具を取り外すことにある。
【発明の効果】
【００１４】
本発明に係る管杭の吊り起こし装置は、請求項１に記載の構成を具備することによって、鋼管杭等の管杭を吊り起こす際に、管杭の下端側が平面上を摺動せず、管杭の下端部（開先部）の破損を防止することができる。また、吊り起こす際の管杭の回転及び揺動を防止することができ、杭毎に転がり防止のキャンバを設置する必要がなくなる。また、杭間に作業員が入ってキャンバを設置せずともよく、安全に作業を行うことができる。さらに、枕木が吊り起こし補助具の移動を阻害することがなく、好適に案内することができる。
【００１５】
更にまた、本発明において、請求項２乃至４に記載の構成を具備することによって、自動的に吊り起こし補助具を取り外すことができ、安全に作業を行うことができる。
【００１６】
本発明に係る杭の吊り起こし方法は、請求項５に記載の構成を具備することによって、鋼管杭等の管杭を吊り起こす際に、管杭の下端側が平面上を摺動せず、管杭の下端部（開先部）の破損を防止することができる。また、吊り起こす際の管杭の回転及び揺動を防止することができ、杭毎に転がり防止のキャンバを設置する必要がなくなる。さらに、杭間に作業員が入ってキャンバを設置せずともよく、安全に作業を行うことができる。
【図面の簡単な説明】
【００１７】
【図１】本願発明に係る管杭の吊り起こし装置の一例を示す側面図である。
【図２】（a）図１中の吊り起こし補助具の一例を示す正面図、（ｂ）は同平面図、（ｃ）は同側面図である。
【図３】本発明に係る管杭の吊り起こし方法における管杭の仮置き状態を示す側面図である。
【図４】図３中の可動枕木を示す図であって、（ａ）は管杭仮置き時の状態を示す正面図、（ｂ）は同吊り起こし作業時の状態を示す正面図である。
【図５】同上の吊り起こし補助具を設置した状態を示す拡大断面図である。
【図６】同上の図１中のＡ-Ａ線矢視拡大断面図である。
【図７】同上の吊り起こし時の状態を示す側面図である。
【図８】同上の吊り起こし完了時の状態を示す側面図である。
【発明を実施するための形態】
【００１８】
次に、本発明に係る管杭の吊り起こし装置及び吊り起こし方法の実施態様を図１〜図８に示した実施例に基づいて説明する。尚、図中符号１は鋼管杭等の管杭である。
【００１９】
管杭１の吊り起こし装置（以下、吊り起こし装置という）は、管杭１の端部に取付けられる吊り起こし補助具２を備え、地面や作業船の甲板等の平面３上に横たえた状態の管杭１の一端側をクレーン等によって吊り上げる際、管杭１と平面３との間に吊り起こし補助具２が移動可能に介在され、管杭１の下端が保護されるようになっている。尚、図中符号４は、クレーンより繰り出されたクレーンワイヤ、符号５は、クレーンワイヤ４の下端に管杭１の一端側を連結する連結具である。
【００２０】
吊り起こし補助具２は、平面３上を移動可能な補助具本体６と、補助具本体６に回動可能に支持され、管杭１の端部縁と着脱可能に連結される連結部７とを備え、連結部７を管杭１の端部縁に取り付けることによって、管杭１の吊り起こしに追従して平面３上を移動するようになっている。
【００２１】
補助具本体６は、平板状に形成され、その下面部に車輪８，８が回転自在に備えられ、平面３上を移動できるようになっている。
【００２２】
また、補助具本体６には、上面両側部に一対の軸受け９，９を対向配置に備え、両軸受け９，９間に回動軸１０が支持されている。
【００２３】
連結部７は、管杭１の内側に挿入される内側保持体１１，１１…と、管杭１の外側に配置される外側保持体１２と、内側保持体１１，１１…と外側保持体１２とを間隔を置いて保持する底受け部１３とを備え、管杭１の端部縁が内側保持体１１，１１…と外側保持体１２との間に挿し込まれ、底受け部１３で受け止められるようになっている。
【００２４】
外側保持体１２は、互いに対向する一対の側板１２ａ，１２ａと、両側板１２ａ，１２ａの端部を連結する上板１２ｂとを備えた門型に形成され、両側板１２ａ，１２ａの端部が軸受け９，９間に挿入され、回動軸１０を介して回動可能に支持されている。
【００２５】
底受け部１３は、円弧板状に形成され、円弧外側が外側保持体１２の基端部（軸側端部）に固定されている。
【００２６】
内側保持体１１，１１…は、それぞれ平板状に形成され、その基端が底受け部１３の円弧内側縁に周方向に間隔を置いて固定されている。
【００２７】
また、連結部７には、内側保持体１１，１１…と外側保持体１２との間に管杭１の端部縁を保持する杭保持手段を備え、管杭１と連結部７とを着脱可能に固定できるようになっている。
【００２８】
杭保持手段は、本実施例の場合、図２に示すように、外側保持体１２及び内側保持体１１，１１…の対向面部に固定されたゴム板等の弾性部材１４，１４を備え、弾性部材１４，１４を介して内側保持体１１，１１…と外側保持体１２との間に管杭１の端部縁を挟持するようにしている。
【００２９】
よって、この杭保持手段は、管杭１を吊り起こす間は弾性部材１４，１４の弾性力によって管杭１の端縁部を内側保持体１１，１１…と外側保持体１２との間に固定され、管杭１が所定の角度まで立ち上がった際に、吊り起こし補助具２が自重によって管杭１の端部縁より自動的に離脱するようになっている。
【００３０】
また、この吊り起こし装置は、平面３上に設置された軌道１５と、軌道１５上に間隔を置いて設置された複数の枕木１６，１６とを備え、管杭１は、枕木１６，１６に支持された状態で軌道１５に沿って横たえられている。
【００３１】
軌道１５は、一対のＬ字状のアングル材１５ａ，１５ａによって構成され、平行に配置された両アングル材１５ａ，１５ａに案内されて補助具本体６が移動するようになっている。
【００３２】
枕木１６，１６は、軌道１５の両側部に設置された一対の枕木支持部材１７，１７と、軌道１５を横切るように枕木支持部材１７，１７間に移動可能に架設された可動枕木１８とを備え、管杭１の仮置き時には、図４（ａ）に示すように、可動枕木１８が両枕木支持部材１７，１７に架設されて枕木１６，１６として機能し、吊り起こし作業時においては、図４（ｂ）に示すように、可動枕木１８が一方の枕木支持部材１７側に移動し、吊り起こし補助具２の移動を阻害しないようになっている。
【００３３】
枕木支持部材１７，１７は、例えば、Ｈ型鋼によって形成され、上面溝１７ａに案内されて可動枕木１８が移動できるようになっている。
【００３４】
枕木１６，１６は、可動枕木１８が両枕木支持部材１７，１７に架設された状態で高さが吊り起こし補助具２の高さに合わせて調整されている。
【００３５】
次に、この吊り起こし装置を使用した管杭１の吊り起こし方法について説明する。
【００３６】
先ず、図３及び図４（ａ）に示すように、平面３上に軌道１５と、軌道１５の両側部に設置された一対の枕木支持部材１７，１７と、軌道１５を横切るように枕木支持部材１７，１７間に架設される可動枕木１８とを設置しておき、管杭１を枕木１６，１６管に架け渡した状態で軌道１５に沿って平面３上に横たえておく。
【００３７】
次に、管杭１を施工する場合には、図１、図５及び図６に示すように、横たえた管杭１の一端側より吊り起こし補助具２を移動させ、連結部７を管杭１の端部縁に取り付ける。
【００３８】
具体的には、連結部７を外側保持体１２側に回動させておき、その状態で補助具本体６を移動させると、管杭１の端部内側に内側保持体１１，１１…が挿入され、弾性部材１４，１４を介して管杭１の端部縁が外側保持体１２と内側保持体１１，１１…との間に挟持される。
【００３９】
また、管杭１の一端側に連結具５を介してクレーンワイヤ４の下端を連結するとともに、ウインチ１９より繰り出された介錯用ロープ２０を他端側に括り付ける。
【００４０】
次に、図７に示すように、介錯用ロープ２０を繰り出しつつ、クレーンワイヤ４を引き上げて管杭１の一端側を吊り上げ、吊り起こし作業を開始する。
【００４１】
そして、管杭１の一端側を吊り上げるとそれに伴い、管杭１の他端側が徐々に水平方向に向けてクレーンワイヤ４側に引き寄せられて移動する。
【００４２】
その際、管杭１の端部縁には、吊り起こし補助具２が取り付けられているので、管杭１の他端側の移動に追従して吊り起こし補助具２が移動するので、常に管杭１と平面との間に吊り起こし補助具２が介在され、管杭１の端縁が平面３上を摺動することがなく、摩擦等による管杭１の開先部の破損が防止される。
【００４３】
また、吊り起こし補助具２は、軌道１５に案内された状態で移動するので、この吊り起こし補助具２に端縁部が支持された管杭１は、吊り起こしに伴う揺動及び回転が防止され、安定した状態で吊り起こされていく。
【００４４】
尚、吊り起こしに伴い、枕木１６，１６から離脱した際には、可動枕木１８を図４（ｂ）に示すように、一方の枕木支持部材１７側に移動させることによって、軌道１５に案内されて移動する吊り起こし補助具２の移動が阻害されないようになっている。
【００４５】
そして、図８に示すように、吊り起こしにより管杭１が垂直となる位置まで立ち上げ、更に吊り上げると、吊り起こし補助具２が自重によって平面３上に留まり、管杭１の端部縁より自動的に離脱し、吊り起こし作業が完了する。
【００４６】
尚、上述の実施例では、杭保持手段として、外側保持体１２及び内側保持体１１，１１…の対向面部に固定されたゴム板等の弾性部材１４，１４を使用する例について説明したが、弾性部材１４，１４は、外側保持体１２又は内側保持体１１，１１…の何れか一方に備えるようにしてもよい。
【００４７】
また、杭保持手段の態様は、上記実施例に限定されず、例えば、管杭１の内側に挿入され、管杭１の内側に沿って重ねられた内側保持体１１，１１…と管杭１の端縁部とをクランプで締結してもよく、連結部７に電磁石を備え、電磁石を管杭１に付着させてもよい。
【符号の説明】
【００４８】
１  管杭（鋼管杭）
２  吊り起こし補助具
３  平面
４  クレーンワイヤ
５  連結具
６  補助具本体
７  連結部
８  車輪
９  軸受け
１０  回動軸
１１  内側保持体
１２  外側保持体
１３  底受け部
１４  弾性部材
１５  軌道
１６  枕木
１７  枕木支持部材
１８  可動枕木
１９  ウインチ
２０  介錯用ロープ